(57)【要約】 【課題】  皿ストッカー内に皿を収納するのに手間が掛からず、しかも皿ストッカー内に収納されている積層状態の皿を容易に取り出すことができる皿ストッカーを提供すること。【解決手段】  食器皿Ｈを皿受け台１４に載せる毎に、その重量に応じて食器皿Ｈが皿受け台１４と共に降下してゴミ受け容器２内に収納される皿ストッカー1であって、ゴミ受け容器２の底部側には昇降装置Ｅが設けられ、この昇降装置Ｅは、その上昇作動がロック機構２４により拘束され、ロック機構２４の拘束が解除されると昇降装置Ｅが皿受け台１４を作動して、積層したすべての食器皿Ｈをゴミ受け容器２の頂部側に排出するように構成する。【選択図】  図２
2005230235.tif 000002
【特許請求の範囲】
【請求項１】
皿を皿受け台に載せる毎に、その重量に応じて皿が皿受け台と共に降下してストッカー内に収納される皿ストッカーであって、前記ストッカー底部のベース体には皿受け台上昇装置が載置され、該皿受け台上昇装置はその上昇作動がロック機構により拘束され、ロック機構の拘束が解除されると前記皿受け台上昇装置が皿受け台を作動して、積層したすべての皿をストッカーの頂部側に排出することを特徴とする皿ストッカー。
【請求項２】
前記ロック機構の解除は前記皿受け台が前記ロック機構を押圧したときに作動する請求項１に記載の皿ストッカー。
【請求項３】
前記ロック機構の解除は外部操作力により前記ロック機構を押圧したときに作動する請求項１に記載の皿ストッカー。
【請求項４】
前記皿受け台はスプリング力に抗して降下する請求項１ないし３のいずれかに記載の皿ストッカー。
【請求項５】
前記皿受け台は皿ストッカーのベース体と皿受け台の上昇位置を規制する上面板に配置したガイドバーにより上下方向の移動が案内されている請求項１ないし４のいずれかに記載の皿ストッカー。
【請求項６】
前記皿受け台上昇装置はガススプリングと伸縮アームとで構成され、該伸縮アームの上方に皿受け台が設けられ、前記ロック機構のロック位置で伸縮アームが縮小状態に維持され、ロック機構の解除により伸縮アームがガススプリングの力で伸長する請求項１ないし５のいずれかに記載の皿ストッカー。
【請求項７】
前記ロック機構はロックと解除がプッシュ動作で行われる雄型と雌型の２部材で構成され、一方の部材が伸縮アームの下方部に取付けたガススプリングに、他方の部材が伸縮アームの上方部に取付けられている請求項１ないし６のいずれかに記載の皿ストッカー。
【請求項８】
前記皿ストッカーの外周部はゴミ受け容器内に収納されている請求項１ないし７のいずれかに記載の皿ストッカー。
【請求項９】
前記皿ストッカーのベース体がゴミ受け容器の底板に対して空隙を存してゴミ受け容器内に支持され、前記ベース体に立設した前記皿受け台上昇装置の外周部を囲む筒状体と、前記皿受け台から垂下する筒状体が互いに摺動自在に嵌合している請求項８に記載の皿ストッカー。
【請求項１０】
前記両筒状体は皿ストッカーのベース体と皿受け台間に配設した伸縮自在のレール体に支持されている請求項９に記載の皿ストッカー。
【請求項１１】
前記皿受け台が天板とほぼ同一高さレベルにあるようにして前記皿ストッカーをテーブルの下方に取付けた請求項１ないし１０のいずれかに記載の皿ストッカー。
【請求項１２】
前記皿ストッカーをテーブルの脚内に収納した請求項１１に記載の皿ストッカー。
【請求項１３】
前記テーブルの脚内下部に取り出し可能なゴミ受け容器を配した請求項１２に記載の皿ストッカー。
【発明の詳細な説明】
【技術分野】
【０００１】
本発明は、皿を皿受け台に載せる毎に、その重量に応じて皿が皿受け台と共に降下してストッカー内に収納される皿ストッカーに関する。
【背景技術】
【０００２】
従来、皿ストッカー内に皿を積層して収納する手段として、皿ストッカーの底部にホルダー爪を設け、皿を押し上げ機構によりあるいは積み重ねておいて、皿ストッカーの底部より上方に向けて皿を収納し、積層した皿をホルダー爪で保持して運搬に供し、取り出す場合はホルダー爪を解除して、皿ストッカー内に収納されていた皿を底部より排出して皿の重量をスプリングで受けるようにしたものは知られている。（特許文献１参照）。
【０００３】
【特許文献１】実公昭５９−４９８５号公報（第１、２図）
【発明の開示】
【発明が解決しようとする課題】
【０００４】
しかしながら、従来のこのような皿ストッカーは、皿をストッカー内に収納する場合、収納口がストッカーの底部側であるので、収納口と皿径との挿入合わせが面倒であり、手で挿入する時は既に収納されている皿を持ち上げてホルダー爪を乗り越えなければならず、飲食店等でお客が利用する皿ストッカーとしては不向きであった。また収納した積層状態の皿を排出する際もホルダー爪を開放する手段が必要となり簡便に取り出すことはできなかった。
【０００５】
本発明は、このような問題点に着目してなされたもので、皿ストッカー内に皿を収納するのに手間が掛からず、しかも皿ストッカー内に収納されている積層状態の皿を容易に取り出すことができる皿ストッカーを提供することを目的とする。
【課題を解決するための手段】
【０００６】
上記の目的を解決するために、本発明の請求項１に記載の皿ストッカーは、皿を皿受け台に載せる毎に、その重量に応じて皿が皿受け台と共に降下してストッカー内に収納される皿ストッカーであって、前記ストッカー底部のベース体には皿受け台上昇装置が載置され、該皿受け台上昇装置はその上昇作動がロック機構により拘束され、ロック機構の拘束が解除されると前記皿受け台上昇装置が皿受け台を作動して、積層したすべての皿をストッカーの頂部側に排出することを特徴としている。
この特徴によれば、皿を皿ストッカーに収納するのに皿を皿受け台に載せるだけでよく、ロック機構を解除するだけで積層された皿を容易に取り出すことができる。
【０００７】
本発明の請求項２に記載の皿ストッカーは、請求項１に記載の皿ストッカーであって、前記ロック機構の解除は前記皿受け台が前記ロック機構を押圧したときに作動することを特徴としている。
この特徴によれば、皿が所定量積層されるとその荷重で降下した皿受け台がロック機構を解除するので、自動排出が可能となる。
【０００８】
本発明の請求項３に記載の皿ストッカーは、請求項１に記載の皿ストッカーであって、前記ロック機構の解除は外部操作力により前記ロック機構を押圧したときに作動することを特徴としている。
この特徴によれば、皿ストッカーの外部から人がロック機構を解除できるので、回転寿司等で食した皿を精算や洗浄のために何時でも取り出すことができる。
【０００９】
本発明の請求項４に記載の皿ストッカーは、請求項１ないし３のいずれかに記載の皿ストッカーであって、前記皿受け台はスプリング力に抗して降下することを特徴としている。
この特徴によれば、皿荷重とスプリング力を予め選定しておけば、皿枚数に比例した量だけ積層皿を降下させることができる。
【００１０】
本発明の請求項５に記載の皿ストッカーは、請求項１ないし４のいずれかに記載の皿ストッカーであって、前記皿受け台は皿ストッカーのベース体と皿受け台の上昇位置を規制する上面板に配置したガイドバーにより上下方向の移動が案内されていることを特徴としている。
この特徴によれば、皿受け台の上下運動がガイドバーにより正確に案内される。
【００１１】
本発明の請求項６に記載の皿ストッカーは、請求項１ないし５のいずれかに記載の皿ストッカーであって、前記皿受け台上昇装置はガススプリングと伸縮アームとで構成され、該伸縮アームの上方に皿受け台が設けられ、前記ロック機構のロック位置で伸縮アームが縮小状態に維持され、ロック機構の解除により伸縮アームがガススプリングの力で伸長することを特徴としている。
この特徴によれば、伸縮アームの伸長をガススプリングの力で行うので、積層皿は排出終端で排出速度が減速し、積層皿が安定した状態で排出される。
【００１２】
本発明の請求項７に記載の皿ストッカーは、請求項１ないし６のいずれかに記載の皿ストッカーであって、前記ロック機構はロックと解除がプッシュ動作で行われる雄型と雌型の２部材で構成され、一方の部材が伸縮アームの下方部に取付けたガススプリングに、他方の部材が伸縮アームの上方部に取付けられていることを特徴としている。
この特徴によれば、ロック機構のロックと解除がプッシュ動作で行われるので、皿ストッカーのセッティング及び積層皿の排出動作が容易に行われる。
【００１３】
本発明の請求項８に記載の皿ストッカーは、請求項１ないし７のいずれかに記載の皿ストッカーであって、前記皿ストッカーの外周部はゴミ受け容器内に収納されていることを特徴としている。
この特徴によれば、皿に残った食べ滓等が万一皿から落下してもゴミ受け容器内に収集されるので周囲を汚すことがない。
【００１４】
本発明の請求項９に記載の皿ストッカーは、請求項７に記載の皿ストッカーであって、前記皿ストッカーのベース体がゴミ受け容器の底板に対して空隙を存してゴミ受け容器内に支持され、前記ベース体に立設した前記皿受け台上昇装置の外周部を囲む筒状体と、前記皿受け台から垂下する筒状体が互いに摺動自在に嵌合していることを特徴としている。
この特徴によれば、皿ストッカーのベース体とゴミ受け容器の底板間に空隙があるので、皿受け台に積層した皿から残った食べ滓等が落下しても、この空隙内にゴミ滓を蓄積できる。また、皿受け台上昇装置が皿ストッカーの動作中、常に両筒状体によって覆われているので、ゴミ等が伸縮アームやロック機構等に付着する恐れが無く、耐久年数の長い皿ストッカーを提供できる。
【００１５】
本発明の請求項１０に記載の皿ストッカーは、請求項９に記載の皿ストッカーであって、前記両筒状体は皿ストッカーのベース体と皿受け台間に配設した伸縮自在のレール体に支持されていることを特徴としている。
この特徴によれば両筒状体がレール体に案内されるので、皿受け台の円滑な上下運動を行うことができる。
【００１６】
本発明の請求項１１に記載の皿ストッカーは、請求項１ないし１０のいずれかに記載の皿ストッカーであって、前記皿受け台が天板とほぼ同一高さレベルにあるようにして前記皿ストッカーをテーブルの下方に取付けたことを特徴としている。
この特徴によれば、皿受け台が天板と同一高さレベルにあるので、皿を天板上で横移動させるだけで皿ストッカーに投入することができる。
【００１７】
本発明の請求項１２に記載の皿ストッカーは、請求項１１に記載の皿ストッカーであって、前記皿ストッカーをテーブルの脚内に収納したことを特徴としている。
この特徴によれば、皿ストッカーを脚内に収納したので、外部から皿ストッカーの存在を隠蔽することができる。
【００１８】
本発明の請求項１３に記載の皿ストッカーは、請求項１２に記載の皿ストッカーであって、前記テーブルの脚内下部に取り出し可能なゴミ受け容器を配したことを特徴としている。
この特徴によれば、皿ストッカーの外周部にゴミ受け容器を設けなくても、脚内下部に取り出し可能なゴミ受け容器を配しておけば、ゴミ受け容器を随時取りだして清掃することができる。
【発明を実施するための最良の形態】
【００１９】
本発明の実施例を以下に説明する。
【実施例１】
【００２０】
本発明の実施例を図面に基づいて説明すると、先ず図1（ａ）は本発明の実施例１に係る食器皿が載置されていない状態を示す皿ストッカーの断面図、（ｂ）は（ａ）のＡ−Ａ断面図、図２は食器皿を載置した皿受け台が降下した状態を示す皿ストッカーの断面図、図３は食器皿を載置した皿受け台が皿受け台上昇装置の作用でストッカーの頂部側に押上げられた状態を示す皿ストッカーの断面図、図４（ａ）はロック機構近傍の皿ストッカーの部分正面図、（ｂ）は（ａ）のＢ−Ｂ断面図である。
【００２１】
以下、図1〜図３に示すように、皿ストッカー１は、通常の循環型飲食物搬送装置（以下飲食物搬送装置と称する）等で寿司などを載置して飲食客側に循環搬送された食器皿Ｈを、使用後に順次皿受け台１４上に積載することで自重の作用で降下して内部に収容され、所定量が収納されると積載された全部の食器皿を一気に皿ストッカー１の頂部側に排出するように構成されている。
【００２２】
皿ストッカーユニット４は、皿ストッカー１と、この皿ストッカー１を収納する有底円筒状のゴミ受け容器２とで構成されている。
【００２３】
ゴミ受け容器２は、底板６を有する筒体５と、この筒体５の開口周縁に取付けられた中央が開口する円板状の縁板８とから構成されている。また、皿ストッカー１は、ゴミ受け容器２の底板６側に設けられたロック機構２４を含む皿受け台上昇装置Ｅ（以下昇降装置と称する）と、皿受け台１４とから構成されている。
【００２４】
昇降装置Ｅは、２つのガススプリングＧ１，Ｇ２と伸縮アーム１６とで構成され、この伸縮アーム１６は、左右に配置されて複数の同一リンクの中間と両端をそれぞれ枢動可能に枢着し、これら枢着部の一部を軸部材で連結したパンタグラフ式昇降機構として構成されている。
【００２５】
ゴミ受け容器２の底板６上方には、皿受け台１４の上昇移動を規制する上面板９より後述するガイドバー１２により支持された円板状のベース体１０が配置され、このベース体１０の中央に配設された支持ブロック３４両端の支持軸３６には最下部のリンク下端が枢着されている。
【００２６】
更に、支持ブロック３４には一対のガススプリングＧ１，Ｇ２の伸縮可能なロッドの下端がそれぞれ軸支されており、これらガススプリングＧ１，Ｇ２上端のブラケットは、取付ねじ２６により有底ケース状のホルダー２２の開口する下端部にそれぞれ取着されている。また、最下部のリンク上端に枢着される上部の両リンクの中間部位間には、ネジ軸Ｂ１，Ｂ２を介して一対のガススプリングＧ１，Ｇ２を挿通保持する板状のブラケット４２の両端が水平に保持されている。
【００２７】
伸縮アーム１６最上端で互いに交叉する左右の中間部が連結軸１８により枢着され、左右の各リンク上端間には、図１（ａ）に示される皿受け台１４下面を前後２箇所で支持する各ローラＲ１，Ｒ２が水平に軸支されている。そしてこの連結軸１８の両側には対設する左右リンクの内面にコ字形に折曲したフレーム２０の上端が枢着している。
【００２８】
図１（ｂ）、図４（ａ）に示されるように、コ字形フレーム２０の両側面には、一対の帯板状の振れ止めガイド２８が下方に向けて取着されており、この振れ止めガイド２８は、縦長に形成された下端側から所定長さのガイド用の長溝３０が形成されており、伸縮アーム１６が縮小状態では、左右の長溝３０内に、上部から２段目と３段目の両リンク中間を枢支する左右の枢支ピンＰ内側の頭部が上下２箇所で摺動可能に係合している。
【００２９】
一方、複数の食器皿Ｈを積載する皿受け台１４は円板状に形成され、その下面には両側に中央に向くガイド傾斜部を形成した逆台形状の保持部１４ａが形成されており、伸縮アーム１６が皿受け台１４を支持する際に伸縮アーム１６最上端のローラＲ１，Ｒ２により中心に案内保持するように構成されている。また、皿受け台１４は、ベース体１０上面と上面板９間に４等配に立設した４本のガイドバー１２（図１ａに２本示されている）により上下方向に挿通可能に案内保持されている。
【００３０】
更に皿受け台１４は、下面の中心を挟む両側に配設された一対の係止部４０ａ，４０ｂにそれぞれワイヤーＷ１，Ｗ２の一端が取付けられ、上面板９下面に設けたホィール３８ａ，３８ｂを介して垂下したワイヤーＷ１，Ｗ２の他端は、ベース体１０上面の対応する２ヶ所のフック４２ａ，４２ｂに下端を係止した引張りばねＳ１，Ｓ２の上端に係止され、これら引張りばねＳ１，Ｓ２の付勢力で皿受け台１４に食器皿が載置されていないときは、皿受け台１４を上面板９開口の内周縁に常時当接保持している。
【００３１】
次にロック機構２４に付き、図１（ａ）、図４（ａ）、（ｂ）を参照して説明する。このロック機構２４には、ラッチ形ロック装置が使用されており、例えばトチギヤのＴＬ−２９７；ミニラッチＬ（商品名）が使用されており、これは雄型５０と雌型５２の２部材で構成され、これら２部材は、双方をプッシュするとロックされ、次にプッシュすると雌型５２の爪が開放されてロックが解除されるように構成されている。
【００３２】
図４（ａ）、（ｂ）に示す状態は、伸縮アーム１６が縮小して雄型５０と雌型５２が連結した状態を示しており、雄型５０は、両リンク間に連結した連結軸１８に支持されたコ字形フレーム２０の下面の４個所に所定間隔で下向きに連設配置されており、雌型５２は両ガススプリングＧ１，Ｇ２上端のブラケットに取着された有底ケース状のホルダー２２上面の４個所に雄型５０に対応して上向きに連設配置されている。
【００３３】
次に、皿ストッカーの作用に付き詳述する。
【００３４】
先ず、皿ストッカー１が初期の状態では、図１（ａ）、（ｂ）に示されるように、皿受け台１４を人力により引張りばねＳ１，Ｓ２の張力及び一対のガススプリングＧ１，Ｇ２ロッドの圧縮力に抗してガイドバー１２に案内させながら下降させると、ロック機構２４の雄型５０と雌型５２がプッシュ動作により係合し、伸縮アーム１６が縮小状態に維持される。
【００３５】
皿受け台１４の下降動作により伸縮アーム１６が縮小されてコ字形フレーム２０が下方に移動する際に、振れ止めガイド２８の長溝３０に枢支ピンＰの頭部が係合してコ字形フレーム２０の横振れが防止される。
【００３６】
更に、コ字形フレーム２０が下方に位置するホルダー２２に接近移動すると、コ字形フレーム２０と共に下降する振れ止めガイド２８の長溝３０に枢支ピンＰが下端部から挿入し、コ字形フレーム２０が長溝３０に案内されて双方が互いに接近してロック機構２４の雄型５０と雌型５２が正確に対応し相互の押圧力によりロックされる。
【００３７】
そこで、皿受け台１４に加えていた押圧力を解くと、皿受け台１４は引張りばねＳ１，Ｓ２の作用力により縮小状態が維持された伸縮アーム１６の上端から離れて上方に移動し、上面板９に当接し上面板９とほぼ同一レベルに位置規制される。
【００３８】
この状態で皿受け台１４上に使用済みの食器皿Ｈが順次積載されると、皿受け台１４は、食器皿Ｈの枚数の増加により引張りばねＳ１，Ｓ２のスプリング力に抗して次第に降下していき、図２に示すように、皿受け台１４下面が縮小状態に保持された伸縮アーム１６最上端のローラＲ１，Ｒ２に当接する。
【００３９】
このとき、図２に示すように満杯状態になった食器皿Ｈの重量が伸縮アーム１６に伝達され、連結軸１８を介してコ字形フレーム２０を下方に押圧する。これによりロック機構２４にプッシュ力が作用し、ロック機構２４の雄型５０と雌型５２のロックが解除される。ロックの解除によりコ字形フレーム２０の拘束がフリーになると、伸縮アーム１６がガススプリングＧ１，Ｇ２の作用力で伸長する。
【００４０】
積載食器皿Ｈを載置した皿受け台１４は、ガススプリングＧ１，Ｇ２の伸長作用と引張りばねＳ１，Ｓ２のスプリング力による協働作用で伸縮アーム１６に持ち上げられて上昇移動し、ガススプリングＧ１，Ｇ２の伸長終端ではダンパー効果により伸縮アーム１６の上昇速度が減速され、積層皿が安定した状態で排出される。
【００４１】
尚、前記の実施例では、ロック機構２４のロック解除は、皿受け台１４の伸縮アーム１６との当接により自動解除するように構成されているが、途中で排出させたいときは、積載食器皿Ｈの上端面を人力で押圧して強制的に解除することもできる。これ以外に、離れた場所に設置されたボタンの操作により電気的に作動するレバーを使用するか、操作棒などを使用して雄型５０と雌型５２間に押圧力を付与するように構成することも可能であり、外部から人がロック機構２４を解除できるので、回転寿司等で食した食器皿Ｈを精算時や洗浄のために何時でも取り出すことができる。
【００４２】
このように、前述した構成の皿ストッカーによれば、食器皿Ｈを皿ストッカー１に収納する際に皿受け台１４上に載せるだけで良く、ロック機構２４を解除するだけで積層された食器皿Ｈを容易に取り出すことができる。そしてロック機構２４の解除を、食器皿Ｈが所定量積層されるとその荷重で降下した皿受け台１４が行うようにすれば、自動排出が可能となる。
【００４３】
更に、皿受け台１４は、引張りばねＳ１，Ｓ２のスプリング力に抗して降下する食器皿の荷重とスプリング力を予め選定しておけば、食器皿の枚数に比例した量だけ積層皿を降下させることができる。
【００４４】
そして、皿ストッカー１は、ロック機構２４のロック位置で伸縮アーム１６が縮小状態に維持され、ロック機構２４の解除により伸縮アーム１６がガススプリングＧ１，Ｇ２の力で伸長するよう構成されているので、積層食器皿Ｈは、排出終端で排出速度が減速し、安定した状態で上部から排出される。
【００４５】
そしてまた、雄型５０と雌型５２の２部材で構成されるロック機構２４は、解除操作がプッシュ動作で行われるので、皿ストッカー１のセッティング及び積層食器皿Ｈの排出動作が容易に行われる。
【実施例２】
【００４６】
次に、実施例２に付き図５を参照して説明する。図５（ａ）は実施例２に係る食器皿が載置されていない状態を示す皿ストッカーの断面図、（ｂ）は食器皿を載置した皿受け台が降下した状態を示す（ａ）のＡ−Ａ断面図である。尚、実施例１に示される構成部分と同一構成部分に付いては同一符号を付して重複する説明を省略する。
【００４７】
図５（ａ）に示されるように、ゴミ受け容器２と昇降装置Ｅとの間には、昇降装置Ｅの外周部を取り囲むように２つの筒状体６０，６１が配設されている。上方の筒状体６０は皿受け台１４に取り付けられ下方に向かって垂下し、下方の筒状体６１は皿ストッカー１のベース体１０に取り付けられ上方に立設している。そして皿受け台１４が上面板９とほぼ同一高さの状態で両筒状体６０，６１は互いに嵌合関係にある。
【００４８】
図５（ｂ）に示されるように、皿受け台１４に所定量の食器皿が載置された最下点位置に達するまでその嵌合関係が維持される。両筒状体６０，６１は嵌合は、密着しすぎると、空気の圧縮または膨張による抵抗を受けて筒状体６０の円滑な移動ができないので充分な隙間が形成されるような関係で緩く嵌合しており、必要に応じて両筒状体６０，６１の周面に空気が出入りできる細孔やスリットを設けて抵抗を減じることもある。
【００４９】
このように構成することにより、昇降装置Ｅは常に両筒状体６０，６１によって覆われているので、皿ストッカー１の動作中、ゴミ等が伸縮アームやロック機構等の摺動部に付着する恐れが無く、耐久年数の向上が図れる。特に上方の筒状体６０の径を下方の筒状体の径よりも大きくしておけば、上方から落下するゴミ等が昇降装置Ｅの内部に入りにくい。
【００５０】
そしてこの両筒状体６０，６１の移動を円滑にするために、伸縮自在の３本のレール片６２ａ、６２ｂ、６２ｃから成るレール体６２が皿受け台１４とベース体１０間に配設されている。中間のレール片６２ｂは上方のレール片６２ａと下方のレール片６２ｃに対し互いに長さ方向に摺動可能に嵌合し、上方のレール片６２ａの他端は皿受け台１４に、下方のレール片６２ｃの他端はベース体１０に取り付けられている。そして図５（ｂ）に示されるように、皿受け台１４がロック機構２４を作動させる最下点位置に達したときは、３本のレール片６２ａ、６２ｂ、６２ｃがほぼ均等長さで折り畳まれるように構成されている。
【００５１】
また、皿ストッカー１は上面板９によりゴミ受け容器２に吊持されており、ゴミ受け容器２の底板６と皿ストッカー１のベース体１０との間には空隙が形成されている。この空隙は万一食器皿からの食べ滓等がこぼれ落ちても底に堆積できるような空間として機能している。
【実施例３】
【００５２】
次に上記のように構成された皿ストッカー１の適用例につき図６、図７を参照して説明する。図６は循環搬送路に隣接して設けたテーブルの脚柱内部に皿ストッカーを収容した斜視図であり、図７は皿ストッカーをテーブルの脚柱内部に収納するとともに、引出しを有するゴミ受け容器を脚柱下部に設けた状況を示す斜視図である。
【００５３】
この皿ストッカー１は、有底円筒状のゴミ受け容器内に収納されると、図６に示される飲食物搬送装置Ｃに沿って所定間隔に配設されるテーブルＴを支持する有底円筒状の脚柱５４の内部に天板側から内部に挿入保持され、円板状の上面板９により取り出し可能に保持される。
【００５４】
この状態では、ゴミ受け容器と共に脚柱５４の内部収納された皿ストッカーユニット４の皿受け台１４は、テーブルＴの天板とほぼ同一高さレベルに設定されている。従って、飲食者は飲食後の皿を天板上で横移動させるだけで皿受け台１４に投入することができる。またゴミ受け容器を時々取りだして清掃することも可能である。
【００５５】
次に、図７は皿ストッカー１の別の収納形態を示しており、テーブルＴの天板に形成された脚柱５６内に開口に皿ストッカー１を天板側から取り出し可能に収納したもので、皿ストッカー１の上面板９は脚柱５６の上端開口に設けられたフランジ５６ａを介して保持される。また、皿ストッカー１の外周部はゴミ受け容器に代えて底板のない案内筒体５’が囲繞し、皿ストッカー１をテーブルＴにセットしたときに、脚柱５６の下部に配した引出し５８の上部まで延在している。
【００５６】
案内筒体５’は皿ストッカー１を円滑に脚柱５６内に収納する案内と、脚柱内壁に食べ滓が付着しないようにガードする機能を有し、また引出し５８は出し入れ可能に設けられているので、筒体５’下面の開口を通して落下した食べ滓等が所定量となれば引出し５８を外部に取り出して堆積したゴミを排出することができる。
【００５７】
以上、本発明の実施例を図面により説明してきたが、具体的な構成はこれら実施例に限られるものではなく、例えば実施例３において、皿ストッカーは底板のない案内筒体に囲まれた状態で脚柱に挿入してあるが、案内筒体を用いずに皿ストッカーだけを直接脚柱に挿入してもよい。この場合も引出しからゴミを排出することができる。また底板を備えた通常のゴミ受け容器を備えた皿ストッカーを脚柱に挿入した場合には、引出し内にロック機構のロック解除を外部から電気的に操作するための機器類を収納したり、或いは消臭剤等を入れる空間として活用できる。
【図面の簡単な説明】
【００５８】
【図１】（ａ）は本発明の実施例に係る食器皿が載置されていない状態を示す皿ストッカーの断面図、（ｂ）は（ａ）のＡ−Ａ断面図である。
【図２】食器皿を載置した皿受け台と共に降下した状態を示す皿ストッカーの断面図である。
【図３】食器皿を載置した皿受け台が皿受け台上昇装置の作用でストッカーの頂部側に押上げられた状態を示す皿ストッカーの断面図である。
【図４】（ａ）はロック機構近傍の皿ストッカーの部分正面図、（ｂ）は（ａ）のＢ−Ｂ断面図である。
【図５】（ａ）は実施例２に係る食器皿が載置されていない状態を示す皿ストッカーの断面図、（ｂ）は食器皿を載置した皿受け台が降下した状態を示す（ａ）のＡ−Ａ断面図である。
【図６】循環搬送路に隣接して設けたテーブルの脚柱内部に皿ストッカーを収容した斜視図である。
【図７】皿ストッカーをテーブルの脚柱内部に収納するとともに、引出しを有するゴミ受け容器を脚柱下部に設けた状況を示す斜視図である。
【符号の説明】
【００５９】
１                        皿ストッカー
２                        ゴミ受け容器
４                        皿ストッカーユニット
５                        筒体
６                        底板
８                        縁板
９                        上面板
１０                      ベース体
１２                      ガイドバー
１４                      皿受け台
１４ａ                    保持部
１６                      伸縮アーム
１８                      連結軸
２０                      コ字形フレーム
２２                      ホルダー
２４                      ロック機構
２６                      取付ねじ
２８                      振れ止めガイド
３０                      長溝
３４                      支持ブロック
３６                      支持軸
３８ａ，３８ｂ            ホィール
４０ａ，４０ｂ            係止部
４２ａ，４２ｂ            フック
４２                      ブラケット
５０                      雄型
５２                      雌型
５４                      脚柱
５６                      脚柱
５６ａ                    フランジ
５８                      引出し
６０，６１                筒状体
６２                      レール体
６２ａ、６２ｂ、６２ｃ    レール片
Ｂ１，Ｂ２                ネジ軸
Ｃ                        飲食物搬送装置
Ｅ                        昇降装置（皿受け台昇降装置）
Ｇ１，Ｇ２                ガススプリング
Ｈ                        食器皿
Ｐ                        枢支ピン
Ｒ１，Ｒ２                ローラ
Ｓ１，Ｓ２                引張りばね
Ｔ                        テーブル
Ｗ１，Ｗ２                ワイヤー
【図１】
2005230235.tif 000003
【図２】
2005230235.tif 000004
【図３】
2005230235.tif 000005
【図４】
2005230235.tif 000006
【図５】
2005230235.tif 000007
【図６】
2005230235.tif 000008
【図７】
2005230235.tif 000009